(57)【特許請求の範囲】
【請求項１】
ヘッドボードを備えたベッドであって、
前記ヘッドボードは、上下方向に貫通する断面長方形状の枠部と、前記枠部の上部を覆う第一位置、および前記第一位置より上下方向において下方の第二位置に位置決め可能な板状の棚板と、を備え、
前記棚板の一端部は、前記棚板の裏面から延びるように設けられた脚部を備え、
前記枠部は、前記棚板が前記第一位置に位置決めされている場合、前記棚板の他端部を支持する第一支持部と、前記棚板が前記第一位置に位置決めされている場合、前記脚部を支持し、前記棚板が前記第二位置に位置決めされている場合、前記棚板の表面および前記裏面の一方を支持する板状の第二支持部と、を備えているベッド。
【請求項２】
前記第二支持部は、前記棚板が前記第二位置に位置決めされている場合、前記棚板の前記裏面を支持する請求項１記載のベッド。
【請求項３】
前記棚板の前記脚部は、前記棚板の一端から所定距離離れた位置に設けられ、
前記枠部は、板状に形成され、上面が前記第二支持部の上面と上下方向において同一位置に位置するように、かつ、一端が前記第二支持部の他端との間に隙間を形成するように配設されて、前記棚板を支持する第三支持部をさらに備え、
前記棚板の前記脚部は、前記棚板が前記第二位置に位置決めされている場合、前記隙間に挿入されている請求項２記載のベッド。
【請求項４】
前記隙間の大きさは、前記棚板の前記表面と前記脚部の下端との間の長さより小さく設定されている請求項３記載のベッド。
【請求項５】
前記第三支持部における前記棚板の前記一端部を支持する部位は、前記棚板が前記第二位置に位置決めされているとき、前記棚板の前記一端部が上方から押さえつけられた場合、前記棚板の前記他端部が持ち上がるように前記棚板が傾動する支点を有している請求項３または請求項４記載のベッド。
【発明の詳細な説明】
【技術分野】
【０００１】
本発明は、ベッドに関し、特に、ヘッドボードを有するベッドに関する。
【背景技術】
【０００２】
ヘッドボードを有するベッドの一形式として、特許文献１に示されているものが知られている。ベッドに配設されたヘッドボードは、特許文献１の図２に示すように、上方に向けて開口する収納空間Ｓおよび収納空間Ｓの開口部を覆う蓋板２７を備えている。蓋板２７は、収納空間Ｓ内にて突出する複数の凸部（係合凸部２１１ａ，２１１ｂ，２２１ｃ，２２１ｄ）によって支持されている。収納空間Ｓ内や蓋板２７の上面は、例えば携帯電話等の小物を置くことができるようになっている。
しかしながら、特許文献１のヘッドボードの収納空間Ｓが、例えば雑誌程度の大きさの物品を立て掛けて使用される場合、収納空間Ｓの開口部からその物品の上部が出てしまうため、収納空間Ｓは、蓋板２７が取り外された状態にて使用される。この場合、蓋板２７を置く場所を別途確保する必要が生じる。
【０００３】
これを解消するために、特許文献２の図１に示す収納棚１の可動棚板２のように、蓋板２７を上下方向に移動可能とし、収納空間Ｓの底壁に代えて、蓋板２７を収納空間Ｓの底板にすることが考えられる。すなわち、この場合、蓋板２７は、収納空間Ｓの蓋としての上方位置および収納空間Ｓの底板としての下方位置に位置決め可能に構成される。また、この場合、複数の凸部についても、蓋板２７を支持するために、特許文献２の図１に示す収納棚１の棚受けダボ５，６のように、蓋板２７の位置に合わせて上方位置および下方位置に位置決め可能に構成される。
【先行技術文献】
【特許文献】
【０００４】
【特許文献１】特開２０１４−１２１４４１号公報
【特許文献２】特開２００４−１３００４４号公報
【発明の概要】
【発明が解決しようとする課題】
【０００５】
しかしながら、凸部は、ヘッドボードの各側板２１，２２に形成された孔に一端部が埋設された丸棒の他端部によって構成されている。よって、蓋板２７が下方位置に位置する場合、すなわち、凸部（丸棒）が下方位置に位置する場合、丸棒の上方位置にて、丸棒が取り外された複数の孔が収納空間Ｓの開口部から視認可能となる。この場合、ヘッドボードひいてはベッドの意匠性が損なわれる。
そこで、本発明は、上述した課題を解消するためになされたもので、ヘッドボードを有するベッドにおいて、ヘッドボードが、上下方向に移動可能な棚板を有する場合においても、ヘッドボードひいてはベッドの意匠性の向上を図ることを目的とする。
【課題を解決するための手段】
【０００６】
上記の課題を解決するため、請求項１に係るベッドは、ヘッドボードを備えたベッドであって、ヘッドボードは、上下方向に貫通する断面長方形状の枠部と、枠部の上部を覆う第一位置、および第一位置より上下方向において下方の第二位置に位置決め可能な板状の棚板と、を備え、棚板の一端部は、棚板の裏面から延びるように設けられた脚部を備え、枠部は、棚板が第一位置に位置決めされている場合、棚板の他端部を支持する第一支持部と、棚板が第一位置に位置決めされている場合、脚部を支持し、棚板が第二位置に位置決めされている場合、棚板の表面および裏面の一方を支持する板状の第二支持部と、を備えている。
【発明の効果】
【０００７】
これによれば、ベッドの使用者は、第一支持部および第二支持部を移動させることなく、棚板を第一位置または第二位置に位置決めするができる。よって、枠部には、従来技術のように、棚板を支持するための丸棒を取り外したときに視認可能となる孔が形成されない。したがって、特に、棚板が第二位置に位置したとき、ヘッドボードひいてはベッドの意匠性を向上することができる。
【図面の簡単な説明】
【０００８】
【図１】本発明の第一実施形態におけるベッドの概要を示す斜視図である。
【図２】図１に示すII−II線に沿ったヘッドボードの断面図であり、棚板が第一位置に位置決めされた状態を表している。
【図３】図２に示す第三支持部の拡大図である。
【図４】図２に示す棚板の上面図である。
【図５】図１に示すII−II線に沿ったヘッドボードの断面図であり、棚板が第二位置に位置決めされた状態を示している。
【図６】図１に示すII−II線に沿ったヘッドボードの断面図であり、棚板が第二位置にて傾動している状態を示している。
【図７】本発明におけるベッドの第一実施形態の変形例において、棚板が第二位置に位置決めされた状態を示す図である。
【図８】本発明におけるベッドの第一実施形態の変形例における棚板の第二位置の変形例を示す図である。
【図９】本発明におけるベッドの第二実施形態におけるヘッドボードの断面図であり、棚板が第一位置に位置決めされた状態を示している。
【図１０】本発明におけるベッドの第二実施形態におけるヘッドボードの断面図であり、棚板が第二位置に位置決めされた状態を示している。
【図１１】本発明におけるベッドの第二実施形態における棚板の第二位置の変形例を示す図である。
【発明を実施するための形態】
【０００９】
以下、本発明によるベッドの第一実施形態について図面を参照しながら説明する。本明細書においては説明の便宜上、図１における左上側および右下側をそれぞれベッド１の後方および前方とし、同じく左下側および右上側を、それぞれベッド１の左方および右方とし、同じく上側および下側を、それぞれベッド１の上方および下方として説明する。また、図１〜図３には、各方向を示す矢印を示している。
【００１０】
第一実施形態におけるベッド１は、図１に示すように、マットレスＭ等が載せられて、使用者が就寝するボトム部１０およびボトム部１０の後方側（使用者の頭部側）に固定されたヘッドボード２０を備えている。ヘッドボード２０は、複数の板を組み合わせることにより形成されている。板は、例えば合板である。ヘッドボード２０は、ヘッドボード本体２１および棚板２２を備えている。
【００１１】
ヘッドボード本体２１は、図１および図２に示すように、前板２１ａ、後板２１ｂ、左側板２１ｃおよび右側板２１ｄを備えている。
前板２１ａは、ボトム部１０から上方に向かって延びるように配設（立設）された板である。前板２１ａの左右方向長さがボトム部１０の左右方向長さと略同一に、かつ、前板２１ａの上下方向長さがボトム部１０とマットレスＭとを合わせた上下方向長さより長くなるように設定されている。前板２１ａの前面の下端部が、ボトム部１０の後面に固定されている。
【００１２】
後板２１ｂは、前板２１ａより後側にて、前板２１ａと平行に、前板２１ａの上部と対向するように配設された板である。後板２１ｂは、左右方向長さが前板２１ａの左右方向長さと略同一に、かつ、上下方向長さが前板２１ａの上下方向長さのおよそ半分となるように設定されている。
【００１３】
左側板２１ｃは、前板２１ａの左端部と後板２１ｂの左端部とを連結する板である。左側板２１ｃの前後方向長さが前板２１ａの左右方向長さより短くなるように、かつ、左側板２１ｃの上下方向長さが後板２１ｂの上下方向長さよりわずかに短くなるように設定されている。なお、左側板２１ｃの上下方向長さと後板２１ｂの上下方向長さとを同じ長さに設定しても良い。
【００１４】
右側板２１ｄは、前板２１ａの右端部と後板２１ｂの右端部とを連結する板である。右側板２１ｄの前後方向長さが左側板２１ｃの前後方向長さと同一に、かつ、右側板２１ｄの上下方向長さが左側板２１ｃの上下方向長さのおよそ半分となるように設定されている。また、右側板２１ｄの上端と左側板２１ｃの上端とが、上下方向において同じ位置となるように設定されている。なお、各側板２１ｃ，２１ｄの上下方向長さと後板２１ｂの上下方向長さとを同じ長さに設定しても良い。
【００１５】
また、ヘッドボード本体２１は、図２に示すように、中側板２１ｅ、第一支持板２１ｆ、天板２１ｇ、第二支持板２１ｈおよび第三支持板２１ｉを、さらに備えている。
中側板２１ｅは、ヘッドボード本体２１の左右方向中央部にて、右側板２１ｄと平行に、かつ、右側板２１ｄの下部と対向して、前板２１ａと後板２１ｂとを連結するように配設されている。中側板２１ｅは、上下方向長さが右側板２１ｄの上下方向長さのおよそ半分となるように設定されている。
【００１６】
第一支持板２１ｆ（特許請求の範囲の第一支持部に相当）は、天板２１ｇおよび棚板２２を後述するように支持する板である。第一支持板２１ｆは、下面の中央部が中側板２１ｅの上端に固定され、前板２１ａと後板２１ｂとを連結するように配設されている。
前板２１ａ、中側板２１ｅ、第一支持板２１ｆ、後板２１ｂおよび右側板２１ｄによって、上下方向に貫通する断面長方形状の第一枠部Ｗ１が構成されている。
【００１７】
天板２１ｇは、第一枠部Ｗ１の上部を覆う板である。天板２１ｇの左端部が第一支持板２１ｆに支持されて、天板２１ｇが水平となるように配設されている。天板２１ｇの右端部は、右側板２１ｄの左面に固定されている。また、図１に示すように、天板２１ｇおよび第一枠部Ｗ１の上端部によって、ヘッドボード本体２１の上端部右側が、トレイ状に形成されている。天板２１ｇの上面には、プラグの差し込み口が上方に向けられたコンセントＣが設けられている。
【００１８】
また、前板２１ａ、左側板２１ｃ、後板２１ｂ、中側板２１ｅ、第一支持板２１ｆおよび天板２１ｇによって、上下方向に貫通する断面長方形状の第二枠部Ｗ２（特許請求の範囲の枠部に相当）が構成されている。
【００１９】
第二支持板２１ｈ（特許請求の範囲の第二支持部に相当）は、棚板２２を後述するように支持する板である。第二支持板２１ｈは、図２に示すように、第二枠部Ｗ２内にて天板２１ｇと平行に、かつ、第一支持板２１ｆより上下方向において下方に配設されている。また、第二支持板２１ｈは、前板２１ａおよび後板２１ｂに固定されている。また、第二支持板２１ｈの一端（図２における左端）と左側板２１ｃとの間には、第一隙間Ｇ１が形成されている。
【００２０】
第三支持板２１ｉ（特許請求の範囲の第三支持部に相当）は、棚板２２を後述するように支持する板である。第三支持板２１ｉの上面が、第二支持板２１ｈの上面と上下方向において同じ位置に設定されている。また、第三支持板２１ｉの一端（図２における左端）が、第二支持板２１ｈとの他端（図２における右端）との間に第二隙間Ｇ２（特許請求の範囲の隙間に相当）を形成するように配設されている。さらに、第三支持板２１ｉと中側板２１ｅとの間には、第三隙間Ｇ３が形成されている。また、第三支持板２１ｉの上端の右端部２１ｉ１には、例えばＣ面である面取り加工がされている（図３参照）。
【００２１】
棚板２２は、第二枠部Ｗ２の上部を覆う第一位置Ｐ１（図２参照）、および第一位置Ｐ１より下方の第二位置Ｐ２（図５参照）に位置決め可能な長方形状の板である。棚板２２は、第二枠部Ｗ２の開口部に、嵌め込み可能に形成されている。以下、棚板２２が第一位置Ｐ１に位置決めされている状態にて説明する。棚板２２は、第一位置Ｐ１に位置決めされている場合、表面２２ａを上方に（裏面２２ｂを下方に）向けるとともに、天板２１ｇと平行に、かつ、天板２１ｇの上面と棚板２２の表面２２ａとが上下方向において同一位置となるように、位置決めされている。
【００２２】
棚板２２の一端部Ｅ１（図２において左端部）は、裏面２２ｂから裏面２２ｂに対して垂直方向に延びるように、長方形状の板状に形成された脚部２２ｃを有している。脚部２２ｃの幅方向（前後方向）長さは、棚板２２の幅方向（前後方向）長さと同一である（図４参照）。また、脚部２２ｃは、棚板２２の一端２２ｄ（図４において左側面）から所定距離Ｌ離れた位置に設けられている。所定距離Ｌは、ゼロより大きく、かつ、棚板２２の一端２２ｄから長手方向（左右方向）中央部までの長さより小さい距離である。
【００２３】
脚部２２ｃの長手方向（上下方向）長さは、棚板２２の長手方向長さより短くなるように設定されている。棚板２２が第一位置Ｐ１に位置決めされている場合、脚部２２ｃの下端が第二支持板２１ｈの上面と当接する。すなわち、第二支持板２１ｈは、棚板２２が第一位置Ｐ１に位置決めされている場合、脚部２２ｃを支持する。
【００２４】
また、図２に示すように、棚板２２が第一位置Ｐ１に位置決めされている場合、棚板２２の他端部Ｅ２（図２において右端部）は、第一支持板２１ｆの一端部２１ｆ１（図２において左端部；特許請求の範囲の第一支持部に相当）によって支持されている。
【００２５】
棚板２２は、図４に示すように、他端２２ｅ（図２および図４において右側面）に、半円状の凹設された凹部２２ｆを有している。凹部２２ｆは、棚板２２が第一位置Ｐ１に位置決めされている場合、第二枠部Ｗ２の内部と外部とを連通する。例えば、使用者は、凹部２２ｆに指を入れることにより、第一位置Ｐ１に位置決めされた棚板２２を持ち上げることができる。また、例えば、コンセントＣに差し込まれた電源コード（図示なし）は、凹部２２ｆに通して、第二枠部Ｗ２内に隠すことができる。なお、図１に示すように、棚板２２が第一位置Ｐ１に位置決めされている場合、棚板２２および第二枠部Ｗ２の上端部によって、ヘッドボード本体２１の上端部左側が、トレイ状に形成されている。
【００２６】
次に、棚板２２が第二位置Ｐ２に位置決めされている状態について説明する。棚板２２が第二位置Ｐ２に位置決めされている場合、図５に示すように、棚板２２は、第二支持板２１ｈおよび第三支持板２１ｉによって支持されている。具体的には、棚板２２の裏面２２ｂの脚部２２ｃより他端部Ｅ２側は、第二支持板２１ｈによって支持されている。また、棚板２２の裏面２２ｂの脚部２２ｃより一端部Ｅ１側は、第三支持板２１ｉによって支持されている。
【００２７】
棚板２２の脚部２２ｃは、棚板２２が第二位置Ｐ２に位置決めされている場合、第二隙間Ｇ２に挿入されている。第二隙間Ｇ２の大きさは、脚部２２ｃの上下方向長さより大きく設定されている。これにより、棚板２２を第二位置Ｐ２に位置決めする場合、脚部２２ｃを第二隙間Ｇ２に簡便に挿入することができる。また、各隙間Ｇ１〜Ｇ３の大きさは、棚板２２の表面２２ａと脚部２２ｃの下端との間の上下方向長さより小さく設定されている。これにより、隙間Ｇ１〜Ｇ３から棚板２２が落下することを抑制することができる。
【００２８】
また、棚板２２が第二位置Ｐ２に位置決めされている場合、棚板２２の他端部Ｅ２は、第一隙間Ｇ１の上方に位置する。これにより、例えば使用者の指を、棚板２２の凹部２２ｆに入れて、裏面２２ｂに引っ掛けることで、棚板２２を持ち上げることができる。また、棚板２２の一端部Ｅ１は、第三隙間Ｇ３の上方に位置する。
【００２９】
次に、棚板２２が、第一位置Ｐ１から、第二位置Ｐ２に移動されるときの動作について説明する。
第一位置Ｐ１に位置決めされている棚板２２は、例えば、凹部２２ｆに使用者の指が入れられて、他端部Ｅ２が持ち上げられることにより、第二枠部Ｗ２から取り外される。そして、棚板２２の向きが、第一位置Ｐ１に位置決めされていた棚板２２の向き（棚板２２の他端部Ｅ２が右側；図２参照）から、第二位置Ｐ２に位置決めされる棚板２２の向き（棚板２２の他端部Ｅ２が左側；図５参照）に変更される。具体的には、棚板２２が水平面内にて１８０度旋回される。この変更された棚板２２の向きにて、棚板２２が、一端部Ｅ１側から第二枠部Ｗ２内に入れられ、脚部２２ｃが第二隙間Ｇ２に挿入されて、棚板２２が第二位置Ｐ２に位置決めされる。
【００３０】
次に、棚板２２が、第二位置Ｐ２から第一位置Ｐ１に移動されるときの動作について説明する。
第二位置Ｐ２に位置決めされている棚板２２は、図６に示すように、例えば、棚板２２の一端部Ｅ１を上方から押し付けられることにより、矢印の方向に傾動するため、棚板２２の他端部Ｅ２が上方に上げられる。このとき、第三支持板２１ｉの上端の右端部２１ｉ１が支点Ｆとなっている。なお、第三支持板２１ｉの支点Ｆが構成されている部位（右端部２１ｉ１）は、面取り加工されているため、棚板２２が簡便に傾動することができる。そして、棚板２２の他端部Ｅ２が、使用者によって持ち上げられることにより、棚板２２が第二枠部Ｗ２から取り外される。そして、棚板２２が水平面内にて１８０度旋回されて、棚板２２の向きが、第二位置Ｐ２に位置決めされていた棚板２２の向きから、第一位置Ｐ１に位置決めされる棚板２２の向きに変更される。この変更された棚板２２の向きにて、棚板２２が第一位置Ｐ１に位置決めされる（図２参照）。
このように、棚板２２を水平面内で旋回させて、棚板２２の向きを変えることで、棚板２２の位置が変更可能となるため、棚板２２の位置を簡便に変更することができる。
【００３１】
本実施形態によれば、ベッド１は、ヘッドボード２０を備えている。ヘッドボード２０は、上下方向に貫通する断面長方形状の第二枠部Ｗ２と、第二枠部Ｗ２の上部を覆う第一位置Ｐ１、および第一位置Ｐ１より上下方向において下方の第二位置Ｐ２に位置決め可能な板状の棚板２２と、を備えている。棚板２２の一端部Ｅ１は、棚板２２の裏面２２ｂから延びるように設けられた脚部２２ｃを備えている。第二枠部Ｗ２は、棚板２２が第一位置Ｐ１に位置決めされている場合、棚板２２の他端部Ｅ２を支持する第一支持板２１ｆの一端部２１ｆ１と、棚板２２が第一位置Ｐ１に位置決めされている場合、脚部２２ｃを支持し、棚板２２が第二位置Ｐ２に位置決めされている場合、棚板２２の裏面２２ｂを支持する板状の第二支持板２１ｈと、を備えている。
これによれば、ベッド１の使用者は、第一支持板２１ｆおよび第二支持板２１ｈを移動させることなく、棚板２２を第一位置Ｐ１または第二位置Ｐ２に位置決めするができる。よって、第二枠部Ｗ２は、従来技術のように、棚板２２を支持するための丸棒を取り外したときに視認可能となる孔が形成されない。したがって、特に、棚板２２が第二位置Ｐ２に位置したとき、ヘッドボード２０ひいてはベッド１の意匠性を向上することができる。
また、棚板２２を第一位置Ｐ１と第二位置Ｐ２との間で移動させる場合、従来技術のように、棚板２２を支持するための丸棒のように、第一支持板２１ｆの一端部２１ｆ１および第二支持板２１ｈを棚板２２の位置に合わせて移動させる必要がない。よって、棚板２２を第一位置Ｐ１と第二位置Ｐ２との間で簡便に移動させることができる。
また、棚板２２が第二位置Ｐ２に位置決めされている場合、例えば雑誌程度の大きさを有する方形状の物品を立て掛けて収納する空間を第二枠部Ｗ２内に形成することができる。よって、このような物品を平置きにすることができる大きさの天板を有するヘッドボードと比べて、ヘッドボード２０におけるベッド１の長手方向（前後方向）の長さを短くすることができる。よって、ヘッドボード２０ひいてはベッド１のコンパクト化を図ることができる。
また、棚板２２を第二位置Ｐ２に位置決めすることにより、物品を収納することができる空間を第二枠部Ｗ２内に形成することができるため、棚板２２が第一位置Ｐ１から取り外された場合においても、従来技術のヘッドボードにおける収納空間Ｓの蓋板のように、棚板２２の置き場所を別途確保する必要ない。
【００３２】
また、第二支持板２１ｈは、棚板２２が第二位置Ｐ２に位置決めされている場合、棚板２２の裏面２２ｂを支持する。
これによれば、棚板２２が第二位置Ｐ２に位置決めされている場合、脚部２２ｃを棚板２２より下方に位置させることができるため、第二支持板２１ｈが棚板２２の表面２２ａを支持する場合と比べ、第二枠部Ｗ２内の物品を収納する空間を広くすることができる。
【００３３】
棚板２２の脚部２２ｃは、棚板２２の一端２２ｄから所定距離Ｌ離れた位置に設けられ、第二枠部Ｗ２は、板状に形成され、上面が第二支持板２１ｈの上面と上下方向において同一位置に位置するように、かつ、一端が第二支持板２１ｈの他端との間に第二隙間Ｇ２を形成するように配設されて、棚板２２を支持する第三支持板２１ｉをさらに備え、棚板２２の脚部２２ｃは、棚板２２が第二位置Ｐ２に位置決めされている場合、第二隙間Ｇ２に挿入されている。
これによれば、棚板２２は、第二支持板２１ｈと第三支持板２１ｉとによって棚板２２の両側を支持するため、棚板２２の支持状態をより安定させることができる。
【００３４】
第二隙間Ｇ２の大きさは、棚板２２の表面２２ａと脚部２２ｃの下端と間の長さより小さく設定されている。
これによれば、第二隙間Ｇ２から棚板２２が落下することを抑制することができる。
【００３５】
また、第三支持板２１ｉにおける棚板２２の一端部Ｅ１を支持する部位は、棚板２２が第二位置Ｐ２に位置決めされているとき、棚板２２の一端部Ｅ１が上方から押さえつけられた場合、棚板２２の他端部Ｅ２が持ち上がるように棚板２２が傾動する支点Ｆを有している。
これによれば、棚板２２が第二位置Ｐ２に位置決めされている場合、第三支持板２１ｉが支点Ｆを有しているため、使用者が棚板２２を傾動させて、棚板２２の他端部Ｅ２を上方に向けて上げることができる。このとき、使用者は、棚板２２の他端部Ｅ２を手に持つことができるため、第二枠部Ｗ２内から棚板２２を簡便に取り出すことができる。
【００３６】
次に、本発明によるベッド１の第一実施形態の変形例について、主として第一実施形態と異なる部分について説明する。上述した第一実施形態においては、第二支持板２１ｈおよび第三支持板２１ｉは、棚板２２が第二位置Ｐ２に位置決めされている場合、棚板２２の裏面２２ｂを支持する。これに代えて、本変形例においては、図７に示すように、第二支持板２１ｈおよび第三支持板２１ｉは、棚板２２が第二位置Ｐ２に位置決めされている場合、棚板２２の表面２２ａを支持する。
【００３７】
本変形例によれば、第二枠部Ｗ２は、棚板２２が第一位置Ｐ１に位置決めされている場合、脚部２２ｃを支持し、棚板２２が第二位置Ｐ２に位置決めされている場合、棚板２２の表面２２ａを支持する板状の第二支持板２１ｈを備えている。
これによれば、棚板２２の表面２２ａと裏面２２ｂとを上下反転させて、棚板２２の向きを変えることで、棚板２２の位置が変更可能となるため、棚板２２の位置を簡便に変更することができる。
【００３８】
なお、本変形例の変形例として、棚板２２が第二位置Ｐ２に位置決めされている場合、図８に示すように、棚板２２の向きを、一端部Ｅ１と他端部Ｅ２とで反転させるようにしても良い。
【００３９】
次に、本発明によるベッド１の第二実施形態について、主に第一実施形態と異なる部分について説明する。本第二実施形態の棚板２２は、図９に示すように、第一実施形態の脚部２２ｃに代えて、脚部１２２ｃを備えている。本第二実施形態の脚部１２２ｃは、棚板２２の一端２２ｄからの所定距離Ｌがゼロに設定されている点において、第一実施形態の脚部２２ｃと異なっている。これにより、棚板２２は、側面視において、Ｌ字状に形成される。また、本第二実施形態の第二枠部Ｗ２は、第三支持板２１ｉを備えていない。
【００４０】
図１０に示すように、棚板２２が第二位置Ｐ２に位置決めされている場合、第二支持板２１ｈは、棚板２２の裏面２２ｂを支持する。なお、本第二実施形態において、上述したように、第二支持板２１ｈと中側板２１ｅとの間の隙間の大きさを、棚板２２の表面２２ａと脚部１２２ｃの下端面との間の上下方向長さより小さく設定すると良い。
【００４１】
また、本第二実施形態の変形例として、図１１に示すように、棚板２２が第二位置Ｐ２に位置決めされている場合、第二支持板２１ｈは、棚板２２の表面２２ａを支持するようにしても良い。
【００４２】
このように、ベッド１は、ヘッドボード２０を備えている。ヘッドボード２０は、上下方向に貫通する断面長方形状の第二枠部Ｗ２と、第二枠部Ｗ２の上部を覆う第一位置Ｐ１、および第一位置Ｐ１より上下方向において下方の第二位置Ｐ２に位置決め可能な板状の棚板２２と、を備えている。棚板２２の一端部Ｅ１は、棚板２２の裏面２２ｂから延びるように設けられた脚部２２ｃ，１２２ｃを備えている。第二枠部Ｗ２は、棚板２２が第一位置Ｐ１に位置決めされている場合、棚板２２の他端部Ｅ２を支持する第一支持板２１ｆの一端部２１ｆ１と、棚板２２が第一位置Ｐ１に位置決めされている場合、脚部２２ｃ，１２２ｃを支持し、棚板２２が第二位置Ｐ２に位置決めされている場合、棚板２２の表面２２ａおよび裏面２２ｂの一方を支持する板状の第二支持板２１ｈと、を備えている。
これによれば、ベッド１の使用者は、第一支持板２１ｆおよび第二支持板２１ｈを移動させることなく、棚板２２を第一位置Ｐ１または第二位置Ｐ２に位置決めするができる。よって、第二枠部Ｗ２には、従来技術のように、棚板２２を支持するための丸棒を取り外したときに視認可能となる孔が形成されない。したがって、特に、棚板２２が第二位置Ｐ２に位置したとき、ヘッドボード２０ひいてはベッド１の意匠性を向上することができる。
【００４３】
なお、上述した各実施形態において、ベッド１の一例を示したが、本発明はこれに限定されず、他の構成を採用することもできる。例えば、前板２１ａ、左側板２１ｃ、後板２１ｂおよび右側板２１ｄから第三枠部を構成し、棚板２２を、第三枠部の上部を覆うように形成するようにしても良い。この場合、第一支持板２１ｆが右側板２１ｄに設けられ、ヘッドボード本体２１は、中側板２１ｅおよび天板２１ｇを備えない。さらに、この場合、第三枠部が特許請求の範囲の枠部に相当する。
【００４４】
また、上述した第一実施形態において、第一隙間Ｇ１を形成しないように第二支持板２１ｈを形成しても良い。また、第三隙間Ｇ３を形成しないように、第三支持板２１ｉを形成しても良い。
また、上述した第一実施形態において、第二枠部Ｗ２が、第三支持板２１ｉを備えないようにしても良い。この場合、第二支持板２１ｈと中側板２１ｅとの間の隙間の大きさを、棚板２２の表面２２ａと脚部２２ｃの下端面との間の上下方向長さより小さく設定すると良い。これにより、棚板２２がこの隙間から落下することを抑制することができる。
【００４５】
また、上述した第一実施形態において、棚板２２を第二位置Ｐ２に位置決めされた状態から移動させて、第一位置Ｐ１に位置決めする場合、棚板２２の一端部Ｅ１を上方から押さえつけることにより、棚板２２を傾動させているが、これに代えて、棚板２２の凹部２２ｆに指を入れて他端部Ｅ２を持ち上げることにより、棚板２２を傾動させるようにしても良い。
【符号の説明】
【００４６】
１…ベッド、１０…ボトム部、２０…ヘッドボード、２１…ヘッドボード本体、２１ａ…前板、２１ｂ…後板、２１ｃ…左側板、２１ｄ…右側板、２１ｅ…中側板、２１ｆ…第一支持板、２１ｆ１…第一支持板の一端部（第一支持部）、２１ｇ…天板、２１ｈ…第二支持板（第二支持部）、２１ｉ…第三支持板（第三支持部）、２２…棚板、２２ａ…表面、２２ｂ…裏面、２２ｃ…脚部、２２ｄ…一端、２２ｅ…他端、２２ｆ…凹部、Ｅ１…一端部、Ｅ２…他端部、Ｆ…支点、Ｇ２…第二隙間（隙間）、Ｌ…所定距離、Ｐ１…第一位置、Ｐ２…第二位置、Ｗ１…第一枠部、Ｗ２…第二枠部。
【図１】
0006387779.tif 000002
【図２】
0006387779.tif 000003
【図３】
0006387779.tif 000004
【図４】
0006387779.tif 000005
【図５】
0006387779.tif 000006
【図６】
0006387779.tif 000007
【図７】
0006387779.tif 000008
【図８】
0006387779.tif 000009
【図９】
0006387779.tif 000010
【図１０】
0006387779.tif 000011
【図１１】
0006387779.tif 000012